(57)【要約】【課題】  本発明は集合写真をメディアなどの記憶媒体から印刷するときに、集合写真に写っている人の輪郭の画像を作成して氏名等を入力したものを集合写真とともに印刷できる印刷装置である。【解決手段】  本発明は印刷装置１０であり、書込入力メモリ２７と輪郭画像処理部２８と画像メモリ２９とＯＲ部３０を備える。メディア読取書込部２６でメディアから集合写真の画像データを読み取る。操作表示パネル２５で操作された操作をタッチパネル制御部２６で受けてコントローラ２０で制御する。集合写真の画像データは画像メモリ２９に展開される。輪郭画像処理部２８は、集合写真の画像データから人の輪郭の画像を作成する。ユーザが入力した文字入力は書込入力メモリ２７に記憶される。輪郭と文字入力はＯＲ部３０で合成され、プリント制御部３１で集合写真と輪郭及び文字入力の打ち出す形式が作られプリンタエンジン３２で印刷する。【選択図】  図２
2005103778.tif 000002
【特許請求の範囲】
【請求項１】
写真の画像データから輪郭を生成する輪郭生成手段と、
生成した前記輪郭を表示し、操作表示及び画像表示を行い、書込みを入力する操作表示パネル手段と、
前記書込み入力を記憶する記憶手段と、
前記輪郭と前記書込み入力を合成する合成手段と、
前記輪郭と前記書込み入力の合成画像と前記写真を組み合わせた画像を作成して出力する出力手段と、
を有することを特徴とする印刷装置。
【請求項２】
前記写真は集合写真であり、前記輪郭は集合写真を構成する人の輪郭であることを特徴とする請求項１の印刷装置。
【請求項３】
前記輪郭を手動入力する手動入力手段と、入力された輪郭を表示する前記操作表示パネル表示手段とを備えたことを特徴とする請求項１、又は２記載の印刷装置。
【請求項４】
前記写真にコメントを入力する入力手段を有することを特徴とする請求項１、２、又は３記載の印刷装置。
【請求項５】
前記書込み入力される情報は前記輪郭で区別された画像の固有名称であることを特徴とする請求項１、２、又は３記載の印刷装置。
【請求項６】
前記輪郭画像及び前記書込み入力情報を記憶媒体に書き込む書込手段を備えたことを特徴とする請求項１、２、３又は４記載の印刷装置。
【請求項７】
それぞれ異なる種類の記録材に印刷する複数の印刷装置を内蔵し前記輪郭画像と前記集合写真画像を異なる記録材に印刷出力することを特徴とする請求項１、２、又は３記載の印刷装置。
【発明の詳細な説明】
【技術分野】
【０００１】
本発明は、記憶媒体の画像データをそのまま打ち出し、又はユーザが加工し、又は文字や画像を付加して打ち出すデジタル画像の印刷装置に関する。
【背景技術】
【０００２】
印刷装置には、例えば街中に置かれた写真自動販売機のようにユーザが装置を用いて画像を加工できる機能を搭載するものがある。例えば、装置に用意されている背景画像を選択し、画像データに付加して印刷する等の機能を有する。また、装置により画像の色合いを変えて印刷できる装置もある。
【０００３】
特許文献１は、写真に撮影された人物撮像と顧客の要望をオペレーションセンタに送信し、オペレーションセンタで修正した画像を受信し、印刷する発明であり、修正項目は身体のパーツ、ファッション、背景画像等である。
また、特許文献２は、印刷物自動販売システムの発明であり、ユーザがパーソナルコンピュータからサーバに画像データを送信し、サーバから印刷物自動販売機に画像データが送信される。ユーザは印刷物自動販売機に直接もしくはネットワークを介してアクセスし、画像データの印刷出力を行い、印刷物を取得する。
【特許文献１】特開２０００−２８４３５６号公報
【特許文献２】特開２００３−１６８１６０号公報
【発明の開示】
【発明が解決しようとする課題】
【０００４】
しかしながら、上記文献では印刷システムにおいて修正や画像送信のためにオペレーションセンタやサーバ等の印刷販売機の外部との通信が必要である。この為、システム全体が大きくなる。
一方、印刷装置を使用する際、以下の点を考慮する必要もある。例えば、集合写真を撮影したときに撮影した時点ではそれぞれの名前は覚えているが、後になってその集合写真を見た時、しばらく合わない人は名前が思い出せないことがある。また、初めて会った人なども名前と顔が一致しない場合もある。
【課題を解決するための手段】
【０００５】
上記課題は、本発明によれば写真の画像データから輪郭を生成する輪郭生成手段と、生成した前記輪郭を表示し、操作表示及び画像表示を行い、書込みを入力する操作表示パネル手段と、前記書込み入力を記憶する記憶手段と、前記輪郭と前記書込み入力を合成する合成手段と、前記輪郭と前記書込み入力の合成画像と前記写真を組み合わせた画像を作成して出力する出力手段とを有する印刷装置を提供することによって達成できる。
【０００６】
ここで、上記写真は例えば集合写真であり、輪郭は集合写真のそれぞれの人のものであることによって課題は解決できる。すなわち、輪郭ごとの書込み入力による氏名等と、集合写真とが出力されるので、照合が容易であり、課題を解決できる。
また、輪郭を手動で変更もしくは輪郭を手動入力する手動変更入力手段を備え、入力された輪郭を表示する操作表示パネル手段とを備えた上述の印刷装置によっても解決できる。
【０００７】
また、前記写真にコメントを入力する入力手段を有することにより、後に集合写真に写っている人は名前を容易に確認することができる。
また、前記書込み入力される情報は、前記輪郭で区別された画像の固有名称であり、撮影されている人物等の氏名などを記入することができる。
【０００８】
また、前記輪郭画像及び前記書込み入力情報を記憶媒体に書き込む書込手段を備え、印刷装置で作成した輪郭画像や書込情報をメディアに書き込んで持ち帰ることができる。
また、それぞれ異なる種類の記録材に印刷する複数の印刷装置を内蔵し、前記輪郭画像と前記集合写真画像を異なる記録材、例えば、普通の写真記録用紙と、半透明の用紙に印刷出力することができる。
【発明の効果】
【０００９】
本発明によれば、集合写真と、集合写真の人の輪郭の線を出したものに人の氏名など文字、コメント、書込みを入れたものをセットで印刷することができる。これにより手軽に集合写真に対応する輪郭と名前の入った印刷物を作成することができ、集合写真との比較により氏名と顔写真が１対１で照合できる。よって、氏名を忘れることがない。
【００１０】
また、初めて会った人や未照会の人などは、氏名と顔を一致させて覚えるのに大変有効である。また、輪郭が複雑になる場合は、輪郭を手書きにより入力することもでき対応することができる。
【発明を実施するための最良の形態】
【００１１】
以下、本発明の実施の形態を図面を参照しながら説明する。
（実施形態１）
図１は本実施形態の印刷装置（写真自動販売機）１０の外観である。１１は操作用のタッチパネルを表示するディスプレイである。ディスプレイ１１はプリントするまでの操作ガイド、操作メニューを表示し、ユーザが操作するパネルである。ディスプレイ１１は後述するブロック図の操作表示パネルを構成する。
【００１２】
１２は読込み及び書込み画像用のメディアスロットである。印刷する画像が記録されたメディア（記憶媒体）を挿入する。メモリカード、メモリスティックなど数種類のメディアに対応する。また、印刷装置１０には写真受け取り口１３、紙幣投入口１４、硬貨投入口１５、返却レバー１６、お釣り返却口１７、レシート受取り口１８も配設されている。
【００１３】
図２は本実施形態の印刷装置のシステムブロック図である。２０は本装置の制御部であるコントローラであり、各部及び本装置を制御する。また、課金制御部２１は料金、及びお釣りを取り扱い、２２はレシートプリンタであり、２３は表示制御部である。表示制御部２３はメニュープログラムによる操作メニュー及び操作ガイドを後述する操作表示パネルに表示する。
【００１４】
タッチパネル制御部２４はパネル制御を行い、例えばユーザの操作を検出し、処理し、コントローラ２０に伝える。尚、メニュープログラムの処理は、コントローラ２０を用いず、表示制御部２３、タッチパネル制御部２４を一体化したもので行ってもよい。
操作表示パネル２５は、メニュープログラムによる操作メニュー及び操作ガイドを表示する。メディアから読み込んだ集合写真や輪郭表示や文字入力、氏名入力、コメント入力などの書込み及びそれらの合成画像、出力の状態も表示する。
【００１５】
メディア読取書込部２６は、集合写真の画像データなどを記憶したメディア、つまり記憶媒体への読み書きを行う。また、書込入力メモリ２７は、ユーザの文字等の書込み入力を記憶するメモリである。
輪郭画像処理部２８は、集合写真の画像データから人それぞれの輪郭を作り出す。尚、方法は後述するが個人写真でも個人の輪郭を作成する。
【００１６】
画像メモリ２９は画像データを記憶し、輪郭画像処理部２８に提供する。また、ＯＲ部３０は書込み入力メモリ２７からのユーザの書込み入力と、輪郭画像処理部２８が作成した人の輪郭を合成する。
プリント制御部３１は、輪郭画像処理部２８、画像メモリ２９、OR部３０から画像データを受け、制御して印刷画像を形成し、印刷の制御を行う。また、プリンタエンジン３２は４台のエンジンで構成され、実際に用紙に印刷を行う。
【００１７】
通信制御部３３は、外部との通信を行う際使用され、ハードディスク３４には、例えば本装置を制御するプログラムが記憶されている。また、ハードディスク３４は画像データの保存に使用され、本装置を編集装置として用いることもできる。
尚、３５は外部のネットワークであり、例えばインターネット等であり、３６はデータセンタである。例えば、委託者のデータの保存を受け付ける機能を持つ。
【００１８】
次に、上記構成において、動作を説明する。
ユーザが集合写真の画像データを入れたメディアをメディアスロット１２に装填する。ユーザはディスプレイ１１の操作表示パネル２５を操作し、先ず印刷モードの中の「集合写真を輪郭表示する」モードを選択する。コントローラ２０は、タッチパネル制御部２４から操作によるモード情報を得てメディアから指定の集合写真の画像データをメディア読取書込部２６を通して読み取る。また、メディアからメディア読取書込部２６が読み取って操作表示パネル２５に表示されたものの中からユーザに選択された画像データを使用する。
【００１９】
コントローラ２０は、画像データを取り込み、画像メモリ２９に展開する。続いて輪郭画像処理部２８に画像データを送り、輪郭画像処理部２８にて輪郭画像を生成する。尚、この具体的方法は、特開平８−２７２９７９などに開示されている。
輪郭画像処理部２８にて生成された輪郭画像は、操作表示パネル２５に表示される。ユーザはこの画像を見ながら操作表示パネル２５を操作し、文字入力パレット、描画パレット等を用いて、氏名（固有名称）やコメントの書込み、輪郭の編集、矢印や吹き出しの追加などを配置を検討しながら行う。この追加の書込データがタッチパネル制御部２４からコントローラ２０を通して書込入力メモリ２７に記録される。
【００２０】
氏名等の書込みや輪郭の編集の全ての書込みが終わり、輪郭画像の印刷の操作がされると、輪郭画像と書込入力メモリ２７のデータがOR部３０で合成されてプリント制御部３１に送信される。プリント制御部３１は、データをプリンタエンジン３２に送信して印刷する。輪郭と書込み入力の合成画像が出力される。
【００２１】
集合写真のＬサイズと作成した輪郭と書込みの合成画像とを２Lサイズの用紙に合わせて印刷する操作をした場合は、コントローラ２０が２Lサイズに対応するメモリ領域の半分ずつにそれぞれのデータを展開する。
図３に示すようにプリント制御部３１内もしくは画像メモリ２９内のフレームメモリの半分をLサイズの集合写真に使い、半分をLサイズの輪郭と書込みの合成画像に使う。プリント制御部３１は、このデータをプリンタエンジン３２に送信し、１枚の２Lサイズの印刷用紙に印刷出力する。出力結果は、図４のように集合写真と人の輪郭、書込み文字入力を表示する。２Lサイズの上側半分が実写真で下側半分が輪郭表示と氏名の写真となる。尚、図５は、集合写真と輪郭、書込み入力の２Ｌサイズ出力の別の出力例である。
【００２２】
また、作成した輪郭画像のデータは、ユーザの操作表示パネル２５での操作、指定によりユーザのメディアに書き戻すことができ、持って帰ることも可能である。ユーザの操作表示パネル２５での操作、指定がタッチパネル制御部２４を通してコントローラ２０に伝えられる。コントローラ２０は、輪郭画像処理部２８から輪郭画像データをコントローラ２０を通してメディア読取書込部２６に送信する。メディア読取書込部２６はメディアに輪郭画像データを書き込む。ユーザは書込み終了後、メディアを取り出す。
【００２３】
図６は上記処理を説明するフローチャートである。先ず、“集合写真表示／印刷処理“の表示が表示制御部２３により操作表示パネル２５に表示され、集合写真モードつまり“集合写真表示／印刷処理”をユーザが選択したかの選択待ちをする（ステップ（以下、Ｓで示す）１）。
【００２４】
ここで、ユーザの操作表示パネル２５の操作により選択されれば処理（Ｓ２）へ進み、選択されなければ上記処理（Ｓ１）を繰り返す。
次に、処理（Ｓ２）では、選択した画像の集合写真の取り込みを行う。この処理は、ユーザの操作表示パネル２５の操作により、メディアよりメディア読取書込部２６で読み込んだ集合写真の画像の中から印刷するものが選択される。選択された画像データは画像メモリ２９に取り込まれる。
【００２５】
次に、輪郭画像処理部２８で選択された集合写真の画像データの輪郭抽出処理を行う（Ｓ３）。すなわち、集合写真の画像データを画像メモリ２９から輪郭画像処理部２８に送信し、上述した輪郭抽出処理を行う。この処理によって、集合写真の輪郭画像データが抽出される。
【００２６】
次に、抽出した輪郭画像を表示する（Ｓ４）。すなわち、輪郭画像処理部２８から輪郭画像データをコントローラ２０は受取り、表示制御部２３に送信する。表示制御部２３は輪郭画像データを操作表示パネル２５の所定位置に表示する。
次に、文字入力受付処理を行う（Ｓ５）。すなわち、ユーザの文字入力及び書込みをする旨の操作表示パネル２５での操作をタッチパネル制御部２４で受け、コントローラ２０で受け付ける。表示制御部２３が文字入力及び書込みメニューの操作画面又は文字入力画面を操作表示パネル２５に表示する。そして、ユーザの操作に基づき、配置を設定して文字入力、氏名やコメントの書込みを行う。ユーザは輪郭のところに、例えば文字入力や書込みを入れる。
【００２７】
次に、ユーザの文字入力及び書込みが終了したか判断する（Ｓ６）。この判断は、例えばタッチパネル制御部２４が操作表示パネル２５の画面の文字入力及び書込みメニューの終了部分が操作されることにより検出する。尚、検出されなければ処理（Ｓ５）に戻る。
次に、入力文字合成表示を行う（Ｓ７）。すなわち、入力された文字及び書込みのデータはタッチパネル制御部２４で読み取られてコントローラ２０で書込入力メモリ２７に書き込まれる。この入力文字及び書込みデータと輪郭画像をＯＲ部３０又はコントローラ２０に送信し合成し、合成されたデータを表示する。
【００２８】
次に、入力文字合成表示を見たユーザが訂正するかどうか判断する（Ｓ８）。この判断は、タッチパネル制御部２４が、操作表示パネル２５の画面メニューの訂正部分が操作されることにより検出する。
上記訂正がない場合（Ｓ８がＹＥＳ）、印刷処理を行う（Ｓ９）。すなわち、コントローラ２０の制御によって、画像メモリ２９とＯＲ部３０からプリント制御部３１に入力文字合成表示、集合写真の画像データを送信し、画像データをプリンタエンジン３２に送信し、印刷処理を行う。
【００２９】
このように構成することにより、手軽に集合写真に対応する輪郭と名前の入った印刷物を作成することができ、集合写真との比較により氏名と顔写真が１対１で照合できる。また、初めて会った人や未照会の人については、氏名と顔を一致させて覚えることができる。
【００３０】
尚、前述の通信制御部３３を用いてネットワーク３５を通して、データセンタ３６にデータを保存する構成としてもよい。この場合、ユーザは取り出したいときにデータセンタ３６にアクセスしてデータを取り出すことができる。
また、上記実施形態では、集合写真としたが輪郭表示とコメントを付加することにより効果が得られる画像であれば写真はどんなものでもよい。例えば、部屋のレイアウト図や車両等の部品図などといった画像にも適用可能である。
【００３１】
また、印刷結果は２Ｌサイズの上側半分が実写真で、下半分が輪郭表示のものとしたが図７に示すように上下逆であってもよい。また、図８に示すように、一方の上下の向きを逆にしてもよく、これは２つに折り曲げて使用する場合に上側が同じ向きにくるように構成するものである。
【００３２】
さらに、図９に示すように同じサイズの写真画像を２枚に分けて出力してもよく、図１０に示すように異なったサイズや、その他のサイズの写真画像を２枚に分けて出力する構成としてもよい。
また、集合写真を通常のプリント用紙に印刷し、輪郭画像の印刷を透明又は半透明のフィルムに印刷してもよい。この場合、装置内部のエンジン部のうち１台に通常のプリント用紙、他の１台には半透明のフィルム用紙を用意する。プリント制御部３１は打ち出す用紙が異なる場合には別々のエンジン部にそれぞれのデータを送信し、それぞれを作動させて印刷処理を行う。
【００３３】
例えば、この場合の例を図１１に示す。輪郭表示の印刷物フィルム用紙なので透明又は半透明のため重ねて見ることができ、集合写真の人物と氏名を照らし合わせることができる。この場合、輪郭表示部を消去し、文字部分のみ印刷してもよい。
さらに、上記実施形態では、輪郭表示と文字部分の処理において、文字部分のみ変更可能としたが輪郭作成処理の後に輪郭部も手動によって修正できるように構成してもよい。
（実施形態２）
次に、本発明の実施形態２について説明する。尚、構成は、前述の実施形態１で氏名等の文字やコメントを入れた方法と同じ構成である。
【００３４】
本実施形態２は、「集合写真輪郭コメント付き」モードである。本例では、実施形態１で行った集合写真の人の輪郭の自動生成を行わず、輪郭をユーザが自由に書くことができ、それを出力するモードである。ユーザが印刷モードの選択で本モードを選択することができる。
【００３５】
「集合写真輪郭コメント付き」モードで集合写真を選択すると、図１２に示すように、上半分に人の輪郭をユーザが書き込むモードとなる。この書き込みは、例えば操作表示パネル２５の操作ガイドに従い不図示のペンを用いて行う。また、ユーザは操作表示パネル２５で任意の配置に氏名等のコメントを記載する。
【００３６】
また、同図に示す下半分は、プレビューである。上側が実写真であり、上側のペンで入力した画像を下側に表示する。この場合、タッチパネル制御部２４で入力を読取り、コントローラ２０を介して表示制御部２３に送信し表示制御部２３が操作表示パネル２５に表示する。下側は実写真をコントローラ２０で淡色表示した上に上半分で入力した輪郭とコメントを表示する。また、同図では、上半分側で入力されたＡさんとＢさんの輪郭と氏名が入力状況としてわかるように表示されている。
【００３７】
このように構成することによっても、集合写真に対応する輪郭と名前の入った印刷物を作成することができ、集合写真との比較により氏名と顔写真が１対１で照合でき、更に初めて会った人や未照会の人について、氏名と顔を一致させて覚えることができる。
尚、上下ともＬサイズであり全体が２Ｌサイズのものである。ユーザが輪郭入力、書込みを終了してから印刷操作を行う。すなわち、ユーザの書いたものをタッチパネル制御部２４で読取り、コントローラ２０で書込入力メモリ２７に記憶する。これをプリント制御部３１に送信し、プリンタエンジン３２で印刷する。輪郭と文字、コメントのみを下半分のＬサイズに印刷する。尚、輪郭のみの入力であってもよい。
【００３８】
図１３に印刷の出力結果を示す。２Ｌサイズで上が実写真であり、下が輪郭と文字、コメントである。コメントは任意の位置に配置し、輪郭同様、矢印なども記入できる。
尚、上記実施形態において、ユーザが輪郭を入力する為ペンを用いたが、ペンに限らず、タッチパネル等を用いて指先、その他の指示手段を使用してもよい。図１４に一例を示す。文字入力は、ペンを使いタッチパネル上に文字を書き、変換、確定を行う。入力方法は選択できる。
（実施形態３）
次に、本発明の実施形態３について説明する。
【００３９】
本例は、撮影場所を写真もしくはレシートに入れるものである。すなわち、画像ファイルに記録されている撮影時情報の経度緯度情報と印刷装置１０内の不図示のデータベースを使って印刷する写真もしくはレシートに撮影場所を入れる。
例えば、ユーザはＧＰＳ（Global Positioning System）機能付きカメラで撮影を行う。撮影時にＥｘｉｆ（登録商標）等の撮影時情報が記録されるがその中に経度緯度情報も記録される。そして、ユーザが経度緯度情報が記録された画像ファイルが入ったメディアを印刷装置１０に挿入する。
【００４０】
印刷装置１０は、メディアから画像ファイルを読み出し、表示する。また、印刷装置１０は、画像ファイルに記録されているＥｘｉｆ等の撮影情報の中の経度緯度情報をもとに印刷装置１０内の住所録データベースから住所、施設名称のデータを作成する。
図１５に、本例のプリント画面選択図を示す。メディア内の画像が多数読み込まれ、小さく並べて表示される。ユーザは、印刷する画像をタッチパネルで選択すると共に、撮影場所を画像に入れて印刷するか否かを選択する。また、撮影場所を入れる場合、表示形式を経度緯度、住所、施設名称のいずれにするかタッチパネルで選択する。印刷装置１０は、“撮影場所あり“の操作を検出すると、選択された撮影場所表示形式のデータ、つまり経度緯度又は住所又は施設名称を印刷画像データに挿入する。
【００４１】
その後、ユーザが料金を入れて操作すると、撮影場所を入れた画像データがエンジン部に送信され、撮影場所を入れた写真が印刷される。尚、図１６は本例の出力結果であり、右下に“富士山頂”と撮影場所が挿入されている。
尚、図１７は本実施形態の変形例を示す図であり、印刷装置１０の精算画面を表示する。ユーザは、撮影場所をレシートに印刷するか否かをタッチパネルで選択する。撮影場所の表示形式を経度緯度、住所、施設名称のいずれにするかも選択する。選択が終わり、印刷操作をタッチパネル制御部２４が検出するとコントローラ２０がレシートプリンタ２２にデータを送信し、印刷する。図１８にこの場合の印刷結果を示す。画像のファイル名に対応して撮影場所が示されている。
【００４２】
このように構成することにより、更に写真を撮った場所や位置まで容易に知ることができ、極めて有用な印刷装置となる。
（実施形態４）
次に、本発明の実施形態４について説明する。
【００４３】
本発明のコメント入力、文字入力、書込み入力について実施形態を加える。まとめてコメント入力で説明する。
図１９は、コメント配置手段の説明例であり、コメント欄を配置するところの操作画面である。操作表示パネル２５に表示される。ユーザは、コメントの配置を表示された４つの中から選択し、配置を選択する。これにより、タッチパネル制御部２４、コントローラ２０、表示制御部２３を通して制御され、操作表示パネル２５上の図１９の左側表示の内、下側の淡色表示の方の画像に配置が表示される。図１９ではデフォルトの“２さん”で配置表示されたところである。
【００４４】
図２０は、コメント入力編集時の操作画面例である。四角内にペンで文字を書いてゆきワードプロセッサと同様に変換して確定することにより、入力編集を行う。
また、図２１は、コメント配置時の集合写真の淡色表示の濃さを調節する例である。濃いもしくは淡いの矢印部分をクリックすることにより調節できる。矢印のクリックによる信号がタッチパネル制御部２４で取り込まれ、コントローラ２０に送られる。コントローラ２０では濃淡の変更を表示制御部２３に送信する。表示制御部２３は、淡色表示の濃淡を調整して操作表示パネル２５に表示する。
【００４５】
また、実画像部分の印刷濃度、コントラスト、色相などの設定を変更できるようにしてもよく、さらには淡色表示部のコントラスト、色相を変更できるようにしてもよい。
コメント入力つまり書込み入力と印刷処理を図２２のフローチャートで説明する。先ず、“集合写真表示／印刷処理“の表示が表示制御部２３により操作表示パネル２５に表示され、集合写真モードつまり“集合写真表示／印刷処理”をユーザが選択したかの選択待ちをする（ステップ（以下、ＳＴで示す）１）。そして、ユーザの操作表示パネル２５の操作により選択を検出すれば（ＳＴ１がＹＥＳ）、次の処理（ＳＴ２）に移行する。
【００４６】
処理（ＳＴ２）は、集合写真モードが選択された際、メディアから選択画像をメディア読取書込部２６で取り込む処理であり、画像データをコントローラ２０に送信し、コントローラ２０から画像メモリ２９に展開する。
次に、コメント欄の配置受付処理を行う（ＳＴ３）。例えば、前述の図１９右側に示すように、コメントの配置例４つを表示し、ユーザに選択させる。
【００４７】
次に、コメント欄配置画像表示を行う（ＳＴ４）。例えば、図１９左側のように選択されたとおりに表示制御部２３によりコメントの配置が表示される。尚、上記配置には、デフォルトの文字が入っている。
次に、コメント欄の配置が終了かを判断する（ＳＴ５）。ここで、次のコメント欄配置を行う場合、ユーザの操作により処理（ＳＴ３）に戻り、処理を繰り返す。一方、コメント欄配置を終わる場合（ＳＴ５がＹＥＳ）、ユーザの操作をタッチパネル制御部２４で検出して次に進む。
【００４８】
次に、コメント編集受付処理を行う（ＳＴ６）。前述の図２０に示したように文字入力を行い、ワードプロセッサ同様に変換し、確定することによってコメントをデフォルトから変えて入力する。
次に、コメント編集が終了か判断する（ＳＴ７）。ここで、更にコメント欄の編集を行う場合、ユーザの操作により処理を戻し、配置されたコメント欄の文字編集を終了する場合はユーザはコメント編集終了操作を行う。
【００４９】
次に、コメントの合成表示を行う（ＳＴ８）。輪郭画像処理部２８で生成された輪郭表示と入力したコメントの合成をＯＲ部３０で行う。この合成画像を画像メモリ２９、コントローラ２０、表示制御部２３を経て操作表示パネル２５に表示する。
次に、合成画像の訂正があるか判断する（ＳＴ９）。訂正操作があればタッチパネル制御部２４で検出して処理（ＳＴ５）に戻り、訂正処理を行う。一方、訂正がなく、ユーザの印刷操作があれば（ＳＴ９がＹＥＳ）、集合写真と輪郭、コメント画像の印刷処理を行い、印刷出力を行う。このように構成することにより、更にコメント入りの写真を得ることができ、更に有用な印刷装置となる。
【００５０】
尚、編集された画像をメディアなどの記録媒体に保存してもよい。また、通信転送手段、例えば光ファイバ、LAN、インターネット、電話システム、無線通信、ブルートゥース（Bｌｕｅｔｏｏｔｈ）、無線ＬＡＮ、赤外線通信（ＩｒＤＡ）、非接触ＩＣカード等を用いて他の機器、例えば携帯電話、モバイルＰＤＡ、ＰＣ、管理サーバ、デジタルカメラ、リストカメラ等へ転送、記録してもよい。
【００５１】
また、編集されたコメントやコメント欄、及び配置の情報等を再利用できるようにハードディスク３４や外部の記憶媒体に転送し、記録してもよい。
【図面の簡単な説明】
【００５２】
【図１】本発明の印刷装置の外観図である。
【図２】本発明の回路ブロック図である。
【図３】フレームメモリの半分をLサイズの集合写真に使い、半分をLサイズの輪郭と書込みの合成画像に使うメモリ構成を説明する図である。
【図４】集合写真と人の輪郭、コメントの例を説明する図である。
【図５】集合写真とコメントの編集の例を説明する図である。
【図６】実施形態１の処理を説明するフローチャートである。
【図７】上部が輪郭表示で下部が実写真の例を説明する図である。
【図８】出力結果を折り返し可能とする例を説明する図である。
【図９】同サイズで別々に出力する例を説明する図である。
【図１０】異なったサイズで別々に出力する例を説明する図である。
【図１１】輪郭表示を透明又は半透明にした例を説明する図である。
【図１２】輪郭を手動で描く場合の例を説明する図である。
【図１３】輪郭を手動で描いた場合の例を説明する図である。
【図１４】描画、文字入力の操作方法の例を説明する図である。
【図１５】プリント画像選択画面の例を説明する図である。
【図１６】撮影場所挿入写真の例を説明する図である。
【図１７】精算画面の例を説明する図である。
【図１８】撮影場所記載のレシート出力結果の一例を示す図である。
【図１９】コメント欄配置時の操作画面の例を示す図である。
【図２０】コメント編集時の操作画面の例を示す図である。
【図２１】淡色表示部の濃度調整の操作画面を示す図である。
【図２２】実施形態４の処理動作を説明するフローチャートである。
【符号の説明】
【００５３】
１０    印刷装置
１１    ディスプレイ（タッチパネル）
１２    メディアスロット
１３    写真受取り口
１４    紙幣投入口
１５    硬貨投入口
１６    返却レバー
１７    釣り銭返却口
１８    レシート受取口
２０    コントローラ
２１    課金制御部
２２    レシートプリンタ
２３    表示制御部
２４    タッチパネル制御部
２５    操作表示パネル
２６    メディア読取書込部
２７    書込入力メモリ
２８    輪郭画像処理部
２９    画像メモリ
３０    ＯＲ部
３１    プリント制御部
３２    プリンタエンジン
３３    通信制御部
３４    ハードディスク
３５    ネットワーク
３６    データセンタ
【図１】
2005103778.tif 000003
【図２】
2005103778.tif 000004
【図３】
2005103778.tif 000005
【図４】
2005103778.tif 000006
【図５】
2005103778.tif 000007
【図６】
2005103778.tif 000008
【図７】
2005103778.tif 000009
【図８】
2005103778.tif 000010
【図９】
2005103778.tif 000011
【図１０】
2005103778.tif 000012
【図１１】
2005103778.tif 000013
【図１２】
2005103778.tif 000014
【図１３】
2005103778.tif 000015
【図１４】
2005103778.tif 000016
【図１５】
2005103778.tif 000017
【図１６】
2005103778.tif 000018
【図１７】
2005103778.tif 000019
【図１８】
2005103778.tif 000020
【図１９】
2005103778.tif 000021
【図２０】
2005103778.tif 000022
【図２１】
2005103778.tif 000023
【図２２】
2005103778.tif 000024